(57)【要約】【課題】  貯留箱内のメダルの枚数を無理なく自席で確認することが可能な貯留箱を提供すること。【解決手段】  遊技機から遊技者に対して払い出された遊技媒体を貯留する貯留箱であって、遊技媒体を貯留する容体部の底面に設けられ、容体部に貯留された遊技媒体の総重量を計量する計量手段と、計量手段により計量された計量値と、計量値との比較対象となる比較値とに基づいて、容体部に貯留された遊技媒体の総数を算出する算出手段と、算出手段により算出した遊技媒体の総数を表示する表示手段とを備えたことを特徴とする貯留箱。【選択図】    図１
2007082846.tif 000002
【特許請求の範囲】
【請求項１】
遊技機から遊技者に対して払い出された遊技媒体を貯留する貯留箱であって、
遊技媒体を貯留する容体部の底面に設けられ、前記容体部に貯留された前記遊技媒体の総重量を計量する計量手段と、
前記計量手段により計量された計量値と、前記計量値との比較対象となる比較値とに基づいて、前記容体部に貯留された前記遊技媒体の総数を算出する算出手段と、
前記算出手段により算出した前記遊技媒体の総数を表示する表示手段と
を備えたことを特徴とする貯留箱。
【請求項２】
前記表示手段は、少なくとも１の位の数値を除いて表示することを特徴とする請求項１に記載の貯留箱。
【請求項３】
計量の対象となる遊技媒体の種類を設定可能な設定手段
を備え、
前記算出手段は、前記計量手段により計量された計量値と、前記設定手段により設定された遊技媒体の種類に対応した、前記計量値との比較対象となる比較値とに基づいて、前記容体部に貯留された前記遊技媒体の総数を算出することを特徴とする請求項１又は２に記載の貯留箱。
【発明の詳細な説明】
【技術分野】
【０００１】
本発明は、例えば、パチンコ遊技装置、パチスロ遊技装置、スロットマシン等の遊技機から払い出された遊技媒体を貯留する貯留箱に関する。
【背景技術】
【０００２】
従来、貯留箱には、遊技機から払い出されるメダル等を貯留する。一般に、遊技者は、メダル等を貯留した貯留箱を遊技島のナンバーランプの上にある棚に載せたり、付近の通路に置いたりした状態で遊技を続けているが、貯留箱内のメダルの枚数を自席で確認することは困難であった。
【０００３】
従来、秤量面の上にメダル入り玉箱を１個以上載置し、玉箱の重量を風袋引きしてメダルのトータル枚数を計数する回胴式遊技機用メダル計数装置が存在する（例えば、特許文献１参照）。特許文献１に記載の回胴式遊技機用メダル計数装置によれば、遊技者は、貯留箱内のメダルの枚数を自席で確認することができる。
【０００４】
【特許文献１】特開２００４−６５７６４号公報
【発明の開示】
【発明が解決しようとする課題】
【０００５】
しかしながら、特許文献１に記載の回胴式遊技機用メダル計数装置では、秤量面にすべての玉箱を載置しなければならないため、獲得したメダルの枚数が多量となった場合には、玉箱を高く積み上げることになるのであるが、このとき、メダルが多量に貯留された玉箱を高い位置まで持ち上げることは困難であるといった問題があった。また、玉箱を高く積み上げると不安定な状態となるため、倒してメダルが飛散してしまう危険性があるといった問題があった。
【０００６】
本発明は、上述した課題に鑑みてなされたものであり、その目的は、貯留箱内のメダルの枚数を無理なく自席で確認することが可能な貯留箱を提供することにある。
【課題を解決するための手段】
【０００７】
以上のような目的を達成するために、本発明は、以下のようなものを提供する。
（１）  遊技機から遊技者に対して払い出された遊技媒体を貯留する貯留箱であって、
遊技媒体を貯留する容体部の底面に設けられ、上記容体部に貯留された上記遊技媒体の総重量を計量する計量手段と、
上記計量手段により計量された計量値と、上記計量値との比較対象となる比較値とに基づいて、上記容体部に貯留された上記遊技媒体の総数を算出する算出手段と、
上記算出手段により算出した上記遊技媒体の総数を表示する表示手段と
を備えたことを特徴とする貯留箱。
【０００８】
（１）の発明によれば、容体部に貯留された遊技媒体の総重量を計量して得られた計量値と、上記計量値との比較対象となる比較値（例えば、遊技媒体１つの重量を示す値）とに基づいて、容体部に貯留された遊技媒体の総数を算出して表示する。従って、１の貯留箱内に貯留された遊技媒体の総数を自席で確認することが可能である。また、遊技媒体が貯留された貯留箱が複数になった場合であっても、各貯留箱に表示された遊技媒体の総数から獲得したすべての遊技媒体の数を概算することは容易であり、無理なく遊技媒体の総数を自席で確認することが可能である。
【０００９】
さらに、本発明は、以下のようなものを提供する。
（２）  上記（１）に記載の貯留箱であって、
上記表示手段は、少なくとも１の位の数値を除いて表示することを特徴とする。
【００１０】
（２）の発明によれば、少なくとも１の位の数値を除いて表示する。すなわち、実際の遊技媒体の数と、算出して得られた結果としての遊技媒体の数とに誤差が生じ得る範囲での表示を行わない。従って、実際の遊技媒体の数と、算出して得られた結果としての遊技媒体の数とが異なるような表示をすることを防止することができる。
【００１１】
また、通常、遊技者が自席にて確認したい遊技媒体の数は、おおよその数でよい場合が多く、桁数が多いと却って見にくくなる。従って、（２）の発明によれば、１の位の数値や、１の位と１０の位との数値を除いて表示するといったように、少なくとも１の位の数値を除いて表示することにより、全部の桁を表示することに比して表示される桁数が少なくなり、一見にして獲得した遊技媒体の総数の概数を把握することが可能である。
【００１２】
さらに、本発明は、以下のようなものを提供する。
（３）  上記（１）又は（２）に記載の貯留箱であって、
計量の対象となる遊技媒体の種類を設定可能な設定手段
を備え、
上記算出手段は、上記計量手段により計量された計量値と、上記設定手段により設定された遊技媒体の種類に対応した、上記計量値との比較対象となる比較値とに基づいて、上記容体部に貯留された上記遊技媒体の総数を算出することを特徴とする。
【００１３】
（３）の発明によれば、計量の対象となる遊技媒体の種類を設定可能であり、設定された遊技媒体の種類に対応した、計数値との比較対象となる比較値に基づいて、計量された計量値から遊技媒体の総数を算出する。
従って、例えば、遊技媒体の種類をメダルに設定した場合には、メダルに対応した比較値（例えば、メダル１枚の重量を示す値）に基づいて、容体部に貯留されたメダルの総数を算出し、一方、遊技媒体の種類をパチンコ玉に設定した場合には、パチンコ玉に対応した比較値（例えば、パチンコ玉１個の重量を示す値）に基づいて、容体部に貯留されたパチンコ玉の総数を算出することができる。その結果、遊技媒体の種類ごとに貯留箱をストックしておかなくともよくなり、省スペース化が可能であるとともに、コストを削減することが可能となる。
【発明の効果】
【００１４】
本発明によれば、貯留箱内のメダルの枚数を無理なく自席で確認することが可能になる。
【発明を実施するための最良の形態】
【００１５】
図１は、本実施形態に係る貯留箱を模式的に示す斜視図である。
貯留箱２０では、中央にメダルや遊技球（パチンコ玉）等の遊技媒体を貯留する容体部２６と長手方向の両端に設けられた把手２５とを備えている。容体部２６には、遊技者が遊技を行った結果獲得した遊技媒体を貯留することができる。
貯留箱２０は、容体部２６に遊技媒体が貯留され、計量ボタン２１が押下されると、容体部２６の底面全体設けられた重量センサ２４が検知した重量に基づいて遊技媒体の総数を算出し、表示部２２に表示する。重量センサ２４は、容体部２６に貯留された遊技媒体の総重量を計量する計量手段として機能するものである。
なお、貯留箱２０では、計量を開始する前に切換スイッチ２３を操作することにより、計量の対象（メダル又は遊技球）を設定することが可能である。
【００１６】
図２は、図１に示した貯留箱の把手近傍を示す拡大上面図である。
把手２５には、図中左から、計量ボタン２１、設定手段としての切換スイッチ２３、表示部２２が備えられている。計量ボタン２１は、計量の開始の指示を入力するためのものである。切換スイッチ２３は、計量の対象となる遊技媒体の種類を設定するためのものである。切換スイッチ２３が「メダル」（図中左側）に設定されている場合には、計量値からメダルの総数が算出されることとなる。一方、切換スイッチ２３が「玉」（図中右側）に設定されている場合には、計量値から遊技球の総数が算出されることとなる。
【００１７】
表示部２２は、４つのセグメントＬＥＤから構成されていて、計量値から算出された遊技媒体の個数（枚数）を表示可能である。
本実施形態では、表示部２２がセグメントＬＥＤから構成されている場合について説明するが、本発明における表示手段は、例えば、液晶表示装置であってもよい。
【００１８】
図３は、貯留箱の内部構成を示すブロック図である。
貯留箱２０が備えるＣＰＵ１０は、遊技媒体の総重量を計量する処理、遊技媒体の総数を算出する処理等の各種処理を実行する。
ＣＰＵ１０には、ＲＯＭ１１、ＲＡＭ１２、計量ボタン２１、表示部２２、切換スイッチ２３、及び、重量センサ２４が接続されている。
【００１９】
ＲＯＭ１１には、計量・算出を制御するためのプログラム、メダル１枚の重量平均値や遊技球１個の重量平均値（比較値）が記憶されている。
なお、メダル１枚の重量平均値とは、多数のメダルの各重量を平均した値であり、全メダルの重量の略中心値となる値をいい、遊技球１個の重量平均値とは、多数の遊技球の各重量を平均した値であり、全遊技球の重量の略中心値となる値をいう。
【００２０】
ＲＡＭ１２には、重量センサ２４から出力された出力値に基づいて計量された計量値、切換スイッチ２３の設定に応じてＲＯＭ１１から読み出された比較値、計量値と比較値とから算出された総数等を一時的に記憶する領域が設けられている。
なお、計量ボタン２１、表示部２２、切換スイッチ２３、重量センサ２４については、図２を用いて説明したので、ここでの説明は省略することとする。
【００２１】
図４は、貯留箱において行われる計量処理を示すフローチャートである。
まず、ＣＰＵ１０は、計量ボタン２１が押下されると、重量センサ２４から計量値を取得する（ステップＳ１０）。次に、ＣＰＵ１０は、メダルが計量対象として設定されているか否かを判断する（ステップＳ１１）。この処理において、メダルが計量対象として設定されている場合（ステップＳ１１：ＹＥＳ）、ＲＯＭ１１からメダル１枚の重量平均値（比較値）を抽出し、計量値とメダル１枚の重量平均値とから、メダルの総数を算出する（ステップＳ１２）。
一方、メダルが計量対象として設定されていない場合、すなわち、遊技球が計量対象として設定されている場合（ステップＳ１１：ＮＯ）、ＲＯＭ１１から遊技球１個の重量平均値（比較値）を抽出し、計量値と遊技球１個の重量平均値とから、遊技球の総数を算出する（ステップＳ１３）。ステップＳ１２又はステップＳ１３の処理において、ＣＰＵ１０は、計量値と、比較値とに基づいて、容体部２６に貯留された遊技媒体の総数を算出する算出手段として機能する。
【００２２】
ステップＳ１２の処理の後、又は、ステップＳ１３の処理の後、ＣＰＵ１０は、算出した遊技媒体の総数の１の位を四捨五入し（ステップＳ１４）、その結果を表示部２２に表示する（ステップＳ１５）。この処理の後、本サブルーチンを終了する。
ステップＳ１４において、ＣＰＵ１０は、算出した遊技媒体の総数から１の位の数値を除いた数値に変換する変換手段として機能する。なお、本実施形態では、１の位の数値を四捨五入することとしたが、１の位を切り捨てることとしてもよい。
【００２３】
以上、本実施形態に係る貯留箱２０によれば、容体部２６に貯留された遊技媒体の総重量を計量して得られた計量値と、上記計量値との比較対象となる比較値（メダル１枚の重量平均値、又は、遊技球１個の重量平均値）とに基づいて、容体部２６に貯留された遊技媒体の総数を算出して表示する。従って、１の貯留箱２０内に貯留された遊技媒体の総数を自席で確認することが可能である。また、遊技媒体が貯留された貯留箱２０が複数になった場合であっても、各貯留箱２０に表示された遊技媒体の総数から獲得したすべての遊技媒体の数を概算することは容易であり、無理なく遊技媒体の総数を自席で確認することが可能である。
【００２４】
また、本実施形態に係る貯留箱２０によれば、計量の対象となる遊技媒体の種類を設定可能であり、設定された遊技媒体の種類に対応した比較値（メダル１枚の重量平均値、又は、遊技球１個の重量平均値）に基づいて、計量された計量値から遊技媒体の総数を算出する。
従って、例えば、遊技媒体の種類をメダルに設定した場合には、メダルに対応した比較値（メダル１枚の重量平均値）に基づいて、容体部に貯留されたメダルの総数を算出し、一方、遊技媒体の種類をパチンコ玉に設定した場合には、パチンコ玉に対応した比較値（遊技球１個の重量平均値）に基づいて、容体部２６に貯留されたパチンコ玉の総数を算出することができる。その結果、遊技媒体の種類ごとに貯留箱２０をストックしておかなくともよくなり、省スペース化が可能であるとともに、コストを削減することが可能となる。
【００２５】
本発明に係る貯留箱は、１の位の数値を除いて遊技媒体の総数を表示してもよい。このような貯留箱の一例について図５を用いて説明する。なお、図５においては、上述した図１〜図４に示した構成要素と対応する構成要素には同一の符号を付した。
【００２６】
図５は、他の一例に係る貯留箱の把手近傍を示す拡大上面図である。
図５に示した貯留箱は、表示部のセグメントＬＥＤの個数が３つである点において、図２に示した貯留箱とは異なる。
図５に示した貯留箱４０が備える表示部４２は、３つのセグメントＬＥＤから構成されていて、１０の位以上の数値を表示可能である。なお、１の位に該当する部分には、「０」という印刷数値４２ａが把手２５に直接に印刷されている。
なお、貯留箱４０の他の構成については、図１〜図４に示した貯留箱２０と同様であるから、ここでの説明は省略する。
【００２７】
本実施形態に係る貯留箱４０によれば、少なくとも１の位の数値を除いて表示する。すなわち、実際の遊技媒体の数と、算出して得られた結果としての遊技媒体の数とに誤差が生じ得る範囲での表示を行わない。従って、実際の遊技媒体の数と、算出して得られた結果としての遊技媒体の数とが異なるような表示をすることを防止することができる。
【００２８】
また、通常、遊技者が自席にて確認したい遊技媒体の数は、おおよその数でよい場合が多く、桁数が多いと却って見にくくなる。従って、貯留箱４０によれば、１の位の数値を除いて表示することにより、全部の桁を表示することに比して表示される桁数が少なくなり、一見にして獲得した遊技媒体の総数の概数を把握することが可能である。
【００２９】
本実施形態では、表示部４２が１の位の数値を除いて表示する場合について説明したが、本発明においては、１の位と１０の位とを除いて表示するといったように、数値を２桁以上除いて表示することとしてもよい。
【００３０】
また、本実施形態では、計量値との比較対象となる比較値が、メダル１枚の重量平均値、及び、遊技球１個の重量平均値である場合について説明したが、本発明において比較値は、計量値と比較して遊技媒体の総数を算出することが可能であれば特に限定されず、例えば、メダル１０枚の重量平均値、遊技球１０個の重量平均値であってもよい。
【００３１】
また、本実施形態では、切換スイッチ２３により計量の対象となる遊技媒体の種類が予め「メダル」又は「パチンコ玉」に設定されている場合について説明したが、本発明においてはこれに限定されず、例えば、計量するごとに計量の対象となる遊技媒体の種類を設定することとしてもよい。
【００３２】
また、本実施形態では、計量ボタン２１を押下することにより計量が開始される場合について説明したが、本発明においてはこの例に限定されず、計量ボタン等を操作せずとも、常時計量することとしてもよい。
【００３３】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００３４】
【図１】本実施形態に係る貯留箱を模式的に示す斜視図である。
【図２】図１に示した貯留箱の把手近傍を示す拡大上面図である。
【図３】貯留箱の内部構成を示すブロック図である。
【図４】貯留箱において行われる計量処理を示すフローチャートである。
【図５】他の一例に係る貯留箱の把手近傍を示す拡大上面図である。
【符号の説明】
【００３５】
１０  ＣＰＵ
１１  ＲＯＭ
１２  ＲＡＭ
２０  貯留箱
２１  計量ボタン
２２、４２  表示部
４２ａ  印刷数値
２３  切換スイッチ
２４  重量センサ
２５  把手
２６  容体部
【図１】
2007082846.tif 000003
【図２】
2007082846.tif 000004
【図３】
2007082846.tif 000005
【図４】
2007082846.tif 000006
【図５】
2007082846.tif 000007